(57)【要約】      （修正有）【課題】建築物の内観や外観の意匠性の低下を抑えることができる直交集成板および直交集成板の接合構造を提供する。【解決手段】木質部材からなる複数のラミナ１１１、１２１、１３１、１５１がその幅方向に並べられて構成される層１１、１２、１３、１４、１５が、その層１１、１２、１３、１４、１５を構成するラミナの繊維方向が交互に直交するように積層接着され、全体的に平面視矩形状を呈し、長辺方向に沿った両側面の一方に突出した凸部１６が形成され、他方に陥没した凹部１７が形成されている。凸部１６および凹部１７は、当該凸部１６および当該凹部１７が形成された側面に沿って同一断面形状に形成されている。【選択図】図２
2019000989.tif 000002
【特許請求の範囲】
【請求項１】
木質部材からなる複数のラミナがその幅方向に並べられて構成される層が、その層を構成するラミナの繊維方向が交互に直交するように積層接着された直交集成板であって、
全体的に平面視矩形状を呈し、
何れかの側面に、少なくとも、突出した凸部および陥没した凹部の何れか一方が形成され、
前記凸部および前記凹部は、当該凸部および当該凹部が形成された側面に沿って同一断面形状に形成されていることを特徴とする直交集成板。
【請求項２】
請求項１に記載の直交集成板であって、
少なくとも３つ以上の前記層を有し、
前記凸部は、前記層の積層方向の内側に配された所定の層が他の層よりも外向きに突出することによって形成されていることを特徴とする直交集成板。
【請求項３】
請求項１に記載の直交集成板であって、
少なくとも３つ以上の前記層を有し、
前記凹部は、前記層の積層方向の内側に配された所定の層が他の層よりも内向きに陥没することによって形成されていることを特徴とする直交集成板。
【請求項４】
請求項２または３に記載の直交集成板であって、
前記所定の層は複数の前記層で構成されていることを特徴とする直交集成板。
【請求項５】
請求項１に記載の直交集成板であって、
少なくとも３つ以上の前記層を有し、
当該３つ以上の前記層の平面視形状は同一であり、
前記層の積層方向の内側に配された所定の層は、当該直交集成板の長辺方向または短辺方向に沿って、他の層とずらして配置され、
前記所定の層が前記他の層よりも外向きに突出している部分が前記凸部を構成し、前記所定の層が前記他の層よりも内向きに陥没している部分が前記凹部を構成していることを特徴とする直交集成板。
【請求項６】
請求項１に記載の直交集成板であって、
少なくとも３つ以上の前記層を有し、
前記層の積層方向の内側に配された所定の層の平面視形状は同一であり、
前記所定の層の当該直交集成板の長辺方向または短辺方向の長さは、他の層よりも短く、
前記所定の層の前記他の層よりも短い方向の少なくとも一方の端は、前記他の層の端よりも当該短い方向の内側に位置して陥没している部分が形成され、当該陥没している部分が前記凹部を構成していることを特徴とする直交集成板。
【請求項７】
請求項１に記載の直交集成板であって、
少なくとも３つ以上の前記層を有し、
前記層の積層方向の内側に配された所定の層の平面視形状は同一であり、
前記所定の層の当該直交集成板の長辺方向または短辺方向の長さは、他の層よりも長く、
前記所定の層の前記他の層よりも長い方向の少なくとも一方の端は、前記他の層の端よりも当該長い方向の外側に位置して突出している部分が形成され、当該突出している部分が前記凸部を構成していることを特徴とする直交集成板。
【請求項８】
請求項１乃至７に記載の何れか１つの直交集成板であって前記凸部が形成された第１直交集成板と、請求項１乃至６に記載の何れか１つの直交集成板であって前記凹部が形成された第２直交集成板とを、接合する接合構造であって、
前記第１直交集成板の前記凸部の高さと前記第２直交集成板の前記凹部の深さとが同一であり、
前記第１直交集成板の前記凸部の幅と前記第２直交集成板の前記凹部の幅とが同一であり、
前記第１直交集成板と前記第２直交集成板とが前記凸部と前記凹部とで平面的に接合されていることを特徴とする直交集成板の接合構造。
【請求項９】
請求項１乃至６に記載の何れか１つの直交集成板であって前記凹部が形成された第３直交集成板と、請求項１乃至６に記載の何れか１つの直交集成板であって前記凹部が形成された第４直交集成板とを、接合する接合構造であって、
前記第３直交集成板と前記第４直交集成板とがそれぞれの前記凹部が形成されている側の端部で直交して接続されて隅角部を形成し、
前記第３直交集成板と前記第４直交集成板の前記隅角部に対して外側に配置されている外層同士と、前記第３直交集成板と前記第４直交集成板の前記隅角部に対して内側に配置されている外層同士と、が当接し、
前記第３直交集成板の前記凹部と前記第４直交集成板の前記凹部とが連通し、断面略Ｌ字状の空隙部が形成され、
前記空隙部において、接着性を有すると共に、固化前に流動性を有し、且つ固化後に木材よりも高い剛性を有する充填剤が充填され、
当該充填剤によって前記第３直交集成板と前記第４直交集成板とが直交して接合されていることを特徴とする直交集成板の接合構造。
【請求項１０】
請求項１乃至６に記載の何れか１つの直交集成板であって前記凹部が形成された第５直交集成板と、請求項１乃至６に記載の何れか１つの直交集成板であって前記凹部が形成された第６直交集成板と、請求項１乃至６に記載の何れか１つの直交集成板であって前記凹部が形成された第７直交集成板とを、接合する接合構造であって、
前記第５直交集成板と前記第６直交集成板と前記第７直交集成板とは、それぞれの前記凹部が形成された側の端部でＴ字状に連結され、
当該連結部分において前記第５直交集成板の前記凹部と前記第６直交集成板の前記凹部と前記第７直交集成板の前記凹部とが連通して断面略Ｔ字状の空隙部が形成され、
前記空隙部に、接着性を有すると共に、固化前に流動性を有し、且つ固化後に木材よりも高い剛性を有する充填剤が充填され、
当該充填剤によって前記第５直交集成板と前記第６直交集成板と前記第７直交集成板とがＴ字状に接合されていることを特徴とする直交集成板の接合構造。
【請求項１１】
請求項１乃至６に記載の何れか１つの直交集成板であって前記凹部が形成された第８直交集成板と、少なくとも一方の端部に凸部または凹部が形成されておらずその端部の側面が平坦な第９直交集成板と、少なくとも一方の端部に凸部または凹部が形成されておらずその端部の側面が平坦な第１０直交集成板と、接合する接合構造であって、
前記凹部が上側を向いて開放するように立てられた前記第８直交集成板の上に、前記第９直交集成板と前記第１０直交集成板が、前記一方の端部の側面同士が所定距離をおいて相対した状態で載置され、
相対する前記第９直交集成板と前記第１０直交集成板の間に形成された開口部と、前記凹部とが平行になるように前記第９直交集成板および前記第１０直交集成板が配され、
前記８直交集成板と前記第９直交集成板と前記第１０直交集成板とは、前記第８直交集成板の前記凹部が形成された端部と、前記第９直交集成板および前記第１０直交集成板の前記一方の端部でＴ字状に連結され、
当該連結部分において前記凹部と前記開口部とが連通して断面略Ｉ字状の空隙部が形成され、
前記空隙部に、接着性を有すると共に、固化前に流動性を有し、且つ固化後に木材よりも高い剛性を有する充填剤が充填され、
当該充填剤によって前記８直交集成板と前記第９直交集成板と前記第１０直交集成板とがＴ字状に接合されていることを特徴とする直交集成板の接合構造。
【発明の詳細な説明】
【技術分野】
【０００１】
本発明は、繊維方向が直交するようにひき板（ラミナ）を積層した直交集成板（ＣＬＴ：Ｃｒｏｓｓ  Ｌａｍｉｎａｔｅｄ  Ｔｉｍｂｅｒ）、および直交集成板の接合構造に関する。
【背景技術】
【０００２】
従来、個人住宅や集合住宅または商業施設などの木造建築物に用いられる木質部材として、繊維方向が直交するようにひき板（ラミナ）を積層接着した直交集成板（ＣＬＴ：Ｃｒｏｓｓ  Ｌａｍｉｎａｔｅｄ  Ｔｉｍｂｅｒ）がある（特許文献１参照）。直交集成板は、厚みのある面材（パネル）であり、建築物の壁、床、および屋根などに使用されることがある。
【０００３】
直交集成板が建造物で使用される場合は、直交集成板同士を、例えば直交して又は平面的に接合される場合もある。そして、特許文献１では、様々な接合用金物を用いた直交集成板同士の接合構造が提案されている。例えば、直交集成板の接合部分に表面側からＬ型金物や帯型金物をねじで留めつける接合構造が提案されている。
【先行技術文献】
【特許文献】
【０００４】
【特許文献１】特開２０１６−２０４９５８号公報
【発明の概要】
【発明が解決しようとする課題】
【０００５】
しかしながら、直交集成板の外側から金物で直交集成板同士を接合させると、建築物の内観や外観の意匠性が損なわれるおそれがある。
【０００６】
本発明は上記事情に鑑みてなされたものである。すなわち、その課題とするところは、建築物の内観や外観の意匠性の低下を抑えることができる直交集成板および直交集成板の接合構造を提供することである。
【課題を解決するための手段】
【０００７】
上記課題の解決を目的としてなされた本発明に係る直交集成板の一形態１は、
木質部材からなる複数のラミナがその幅方向に並べられて構成される層が、その層を構成するラミナの繊維方向が交互に直交するように積層接着された直交集成板であって、
全体的に平面視矩形状を呈し、
何れかの側面に、少なくとも、突出した凸部および陥没した凹部の何れか一方が形成され、
前記凸部および前記凹部は、当該凸部および当該凹部が形成された側面に沿って同一断面形状に形成されていることを特徴とする。
また、上記課題の解決を目的としてなされた本発明に係る直交集成板の一形態２は、
一形態１の直交集成板であって、
少なくとも３つ以上の前記層を有し、
前記凸部は、前記層の積層方向の内側に配された所定の層が他の層よりも外向きに突出することによって形成されていることを特徴とする。
また、上記課題の解決を目的としてなされた本発明に係る直交集成板の一形態３は、
一形態１の直交集成板であって、
少なくとも３つ以上の前記層を有し、
前記凹部は、前記層の積層方向の内側に配された所定の層が他の層よりも内向きに陥没することによって形成されていることを特徴とする。
また、上記課題の解決を目的としてなされた本発明に係る直交集成板の一形態４は、
一形態２または一形態３の直交集成板であって、
前記所定の層は複数の前記層で構成されていることを特徴とする。
また、上記課題の解決を目的としてなされた本発明に係る直交集成板の一形態５は、
一形態１の直交集成板であって、
少なくとも３つ以上の前記層を有し、
当該３つ以上の前記層の平面視形状は同一であり、
前記層の積層方向の内側に配された所定の層は、当該直交集成板の長辺方向または短辺方向に沿って、他の層とずらして配置され、
前記所定の層が前記他の層よりも外向きに突出している部分が前記凸部を構成し、前記所定の層が前記他の層よりも内向きに陥没している部分が前記凹部を構成していることを特徴とする。
また、上記課題の解決を目的としてなされた本発明に係る直交集成板の一形態６は、
一形態１の直交集成板であって、
少なくとも３つ以上の前記層を有し、
前記層の積層方向の内側に配された所定の層の平面視形状は同一であり、
前記所定の層の当該直交集成板の長辺方向または短辺方向の長さは、他の層よりも短く、
前記所定の層の前記他の層よりも短い方向の少なくとも一方の端は、前記他の層の端よりも当該短い方向の内側に位置して陥没している部分が形成され、当該陥没している部分が前記凹部を構成していることを特徴とする。
また、上記課題の解決を目的としてなされた本発明に係る直交集成板の一形態７は、
一形態１の直交集成板であって、
少なくとも３つ以上の前記層を有し、
前記層の積層方向の内側に配された所定の層の平面視形状は同一であり、
前記所定の層の当該直交集成板の長辺方向または短辺方向の長さは、他の層よりも長く、
前記所定の層の前記他の層よりも長い方向の少なくとも一方の端は、前記他の層の端よりも当該長い方向の外側に位置して突出している部分が形成され、当該突出している部分が前記凸部を構成していることを特徴とする。
また、上記課題の解決を目的としてなされた本発明に係る直交集成板の接合構造の一形態１は、
一形態１乃至７の何れか１つの直交集成板であって前記凸部が形成された第１直交集成板と、一形態１乃至６の何れか１つの直交集成板であって前記凹部が形成された第２直交集成板とを、接合する接合構造であって、
前記第１直交集成板の前記凸部の高さと前記第２直交集成板の前記凹部の深さとが同一であり、
前記第１直交集成板の前記凸部の幅と前記第２直交集成板の前記凹部の幅とが同一であり、
前記第１直交集成板と前記第２直交集成板とが前記凸部と前記凹部とで平面的に接合されていることを特徴とする。
また、上記課題の解決を目的としてなされた本発明に係る直交集成板の接合構造の一形態２は、
一形態１乃至６の何れか１つの直交集成板であって前記凹部が形成された第３直交集成板と、一形態１乃至６の何れか１つの直交集成板であって前記凹部が形成された第４直交集成板とを、接合する接合構造であって、
前記第３直交集成板と前記第４直交集成板とがそれぞれの前記凹部が形成されている側の端部で直交して接続されて隅角部を形成し、
前記第３直交集成板と前記第４直交集成板の前記隅角部に対して外側に配置されている外層同士と、前記第３直交集成板と前記第４直交集成板の前記隅角部に対して内側に配置されている外層同士と、が当接し、
前記第３直交集成板の前記凹部と前記第４直交集成板の前記凹部とが連通し、断面略Ｌ字状の空隙部が形成され、
前記空隙部において、接着性を有すると共に、固化前に流動性を有し、且つ固化後に木材よりも高い剛性を有する充填剤が充填され、
当該充填剤によって前記第３直交集成板と前記第４直交集成板とが直交して接合されていることを特徴とする。
また、上記課題の解決を目的としてなされた本発明に係る直交集成板の接合構造の一形態３は、
一形態１乃至６の何れか１つの直交集成板であって前記凹部が形成された第５直交集成板と、一形態１乃至６の何れか１つの直交集成板であって前記凹部が形成された第６直交集成板と、一形態１乃至６の何れか１つの直交集成板であって前記凹部が形成された第７直交集成板とを、接合する接合構造であって、
前記第５直交集成板と前記第６直交集成板と前記第７直交集成板とは、それぞれの前記凹部が形成された側の端部でＴ字状に連結され、
当該連結部分において前記第５直交集成板の前記凹部と前記第６直交集成板の前記凹部と前記第７直交集成板の前記凹部とが連通して断面略Ｔ字状の空隙部が形成され、
前記空隙部に、接着性を有すると共に、固化前に流動性を有し、且つ固化後に木材よりも高い剛性を有する充填剤が充填され、
当該充填剤によって前記第５直交集成板と前記第６直交集成板と前記第７直交集成板とがＴ字状に接合されていることを特徴とする。
また、上記課題の解決を目的としてなされた本発明に係る直交集成板の接合構造の一形態４は、
一形態１乃至６の何れか１つの直交集成板であって前記凹部が形成された第８直交集成板と、少なくとも一方の端部に凸部または凹部が形成されておらずその端部の側面が平坦な第９直交集成板と、少なくとも一方の端部に凸部または凹部が形成されておらずその端部の側面が平坦な第１０直交集成板と、接合する接合構造であって、
前記凹部が上側を向いて開放するように立てられた前記第８直交集成板の上に、前記第９直交集成板と前記第１０直交集成板が、前記一方の端部の側面同士が所定距離をおいて相対した状態で載置され、
相対する前記第９直交集成板と前記第１０直交集成板の間に形成された開口部と、前記凹部とが平行になるように前記第９直交集成板および前記第１０直交集成板が配され、
前記８直交集成板と前記第９直交集成板と前記第１０直交集成板とは、前記第８直交集成板の前記凹部が形成された端部と、前記第９直交集成板および前記第１０直交集成板の前記一方の端部でＴ字状に連結され、
当該連結部分において前記凹部と前記開口部とが連通して断面略Ｉ字状の空隙部が形成され、
前記空隙部に、接着性を有すると共に、固化前に流動性を有し、且つ固化後に木材よりも高い剛性を有する充填剤が充填され、
当該充填剤によって前記８直交集成板と前記第９直交集成板と前記第１０直交集成板とがＴ字状に接合されていることを特徴とする。
【０００８】
なお、直交集成板を構成し、積層される「層」とは、日本農林規格で制定されている「直交集成板を構成するプライ又はプライをその繊維方向を互いにほぼ平行に積層接着したもの」をいう（制定：平成２５年１２月２０日農林水産省告示第3079号）。ここでの、「プライ」とは、同じく日本農林規格で制定されている「ラミナをその繊維方向を互いにほぼ平行にして幅方向に並べ又は接着したもの」をいう。さらに、「ラミナ」とは、同じく日本農林規格で制定されている「直交集成板を構成する最小単位のひき板（ひき板をその繊維方向を互いにほぼ平行にして長さ方向に接合接着して調整したもの、小角材をその繊維方向を互いにほぼ平行にして幅方向に接着したもの及びそれをさらに長さ方向に接合接着したものを含む。）」のことをいう。よって、本発明の一形態を構成する「層」は、ラミナが複数積層されて構成されるものも含む。
【発明の効果】
【０００９】
本発明に係る直交集成板によれば、意匠の低下を抑えることができる。
【図面の簡単な説明】
【００１０】
【図１】本発明の直交集成板が接合されてなる建築物の壁の第１実施形態を表す斜視図である。
【図２】（Ａ）は図１に図示した壁を構成する直交集成板を表す斜視図、（Ｂ）は図２（Ａ）の直交集成板の平面図、（Ｃ）は図２（Ａ）の直交集成板の正面図である。
【図３】（Ａ）は図１に図示した壁を構成する直交集成板を表す斜視図、（Ｂ）は図３（Ａ）の直交集成板の平面図、（Ｃ）は図３（Ａ）の直交集成板の正面図である。
【図４】（Ａ）は図１に図示した壁を構成する直交集成板を表す斜視図、（Ｂ）は図４（Ａ）の直交集成板の平面図、（Ｃ）は図４（Ａ）の直交集成板の正面図である。
【図５】図２の１枚の直交集成板と図２の１枚の直交集成板との接合構造および接合方法を表す図である。
【図６】図２の１枚の直交集成板と図３の１枚の直交集成板との接合構造および接合方法を表す図である。
【図７】図２の１枚の直交集成板と図４の２枚の直交集成板との接合構造および接合方法を表す図である。
【図８】（Ａ）は直交集成板を表す斜視図、（Ｂ）は図８（Ａ）の直交集成板の側面図である。
【図９】直交集成板を表す斜視図である。
【図１０】図８の１枚の直交集成板と図９の２枚の直交集成板との接合構造および接合方法を表す図である。
【図１１】２枚の直交集成板を直交して接合する接合構造を表す斜視図である。
【図１２】凸部と凹部の変更例を表す正面図である。
【図１３】図２の直交集成板の変更例を表す図である。
【発明を実施するための形態】
【００１１】
（第１実施形態）
以下に、本発明の直交集成板および直交集成板を接合する接合構造の第１実施形態について、図面を参照しながら具体的に説明する。図１は、本発明の直交集成板が接合されてなる建築物の壁１の一構成例を示す斜視図である。図１に示すように、壁１は、床２の上に立てられている直交集成板１０、２０、３０で構成されている。直交集成板１０、２０、３０は平面的に又は直交して接合されている。なお、図１では壁１および直交集成板１０、２０、３０は簡略化して図示されている概略図である。次に、壁１を構成する直交集成板１０、２０、３０について説明する。
【００１２】
最初に図２を用いて、直交集成板１０について説明する。図２に示すように、直交集成板１０は、５つの層１１〜１５が積層されてなる面材（パネル）である。直交集成板１０は全体的に矩形状を呈している。層１１〜１５は積層間で接着されている。
【００１３】
なお、以下において、層１１〜１５の積層方向の両外側に配された層１１、１２を「外層１１、１２」とし、外層１１、１２の内側に配された層１３〜１５を「内層１３〜１５」とする。また、外層１１、１２の一方（図２（Ａ）において上側に配された方）を第１外層１１とし、他方（図２（Ａ）において下側に配された方）を第２外層１２とする。さらに、内層１３〜１５のうちで第１外層１１に接着している層１３を「第１内層１３」とし、第１内層１３に接着している層１４を「第２内層１４」とし、第２外層１２に接着している層１５を「第３内層１５」とする。なお、以下において、便宜上、図２（Ａ）に示す上下左右方向に合わせて上下左右方向を設定する。
【００１４】
第１外層１１は、全体的に矩形状を呈する。第１外層１１の長辺方向長さは３０００ｍｍであり、短辺方向長さは１０００ｍｍであり、厚さが３０ｍｍである。第１外層１１は、５枚のラミナ１１１で構成されている。５枚のラミナ１１１は同一寸法の矩形状（短冊状）に成形されている。５枚のラミナ１１１は、その長手方向の両端が揃えられた状態でその幅方向に隙間なく並んで所定の接着剤（例えば、木工用接着剤）で接着されている。５枚のラミナ１１１は、スギのひき板で構成されている。そして、ラミナ１１１の長手方向がひき板の繊維方向に一致している。なお、各ラミナ１１１は、長さが３０００ｍｍ、幅が２００ｍｍ、厚さが３０ｍｍに成形されている。
【００１５】
第２外層１２の全体的な形状・寸法は第１外層１１と同一である。また、第２外層１２も、５枚のラミナ１２１で構成されている。５枚のラミナ１２１の形状・寸法・材質はラミナ１１１と同一である。そして、第１外層１１と同様に、第２外層１２では、５枚のラミナ１２１が、長手方向の両端が揃えられた状態でその幅方向に隙間なく並んで所定の接着剤（例えば、木工用接着剤）で接着されている。また、ラミナ１２１の繊維方向は、ラミナ１１１の繊維方向と平行である。
【００１６】
第２内層１４の全体的な形状・寸法も第１外層１１と同一である。また、第２内層１４も、５枚のラミナ１４１で構成されている。５枚のラミナ１４１の形状・寸法・材質はラミナ１１１と同一である。そして、第１外層１１と同様に、第２内層１４では、５枚のラミナ１４１が、その長手方向の両端が揃えられた状態でその幅方向に隙間なく並んで所定の接着剤（例えば、木工用接着剤）で接着されている。また、ラミナ１４１の繊維方向は、ラミナ１１１およびラミナ１２１の繊維方向と平行である。
【００１７】
第１内層１３の全体的な形状・寸法も第１外層１１と同一である。しかしながら、第１内層１３は、１５枚のラミナ１３１で構成されている。１５枚のラミナ１３１は同一寸法の矩形状（短冊状）に成形されている。１５枚のラミナ１３１は、その長手方向の両端が揃えられた状態でその幅方向に隙間なく並んで所定の接着剤（例えば、木工用接着剤）で接着されている。１５枚のラミナ１３１は、スギのひき板で構成されている。そして、ラミナ１３１の長手方向がひき板の繊維方向に一致している。なお、各ラミナ１３１は、長さが１０００ｍｍ、幅が２００ｍｍ、厚さが３０ｍｍに成形されている。また、ラミナ１３１の繊維方向は、ラミナ１１１、ラミナ１２１およびラミナ１４１の繊維方向と直交している。
【００１８】
第３内層１５の全体的な形状・寸法は第１内層１３と同一である。また、第３内層１５も、１５枚のラミナ１５１で構成されている。１５枚のラミナ１５１の形状・寸法・材質はラミナ１３１と同一である。そして、第１内層１３と同様に、第３内層１５では、１５枚のラミナ１５１が、その長手方向の両端が揃えられた状態でその幅方向に隙間なく並んで所定の接着剤（例えば、木工用接着剤）で接着されている。また、ラミナ１５１の繊維方向は、ラミナ１３１の繊維方向と平行であり、ラミナ１１１、ラミナ１２１およびラミナ１４１の繊維方向と直交している。
【００１９】
ところで、前述の通り、各層１１〜１５は全体的に同一寸法の矩形状を呈している。そして、層１１〜１５は、その長辺方向の両端は揃っているが、その短辺方向の両端は揃っていない状態で積層している。具体的には、第１外層１１と第２外層１２の短辺方向の両端が揃い、第１内層１３と第２内層１４と第３内層１５の短辺方向の両端が揃っているが、外層１１、１２の短辺方向の両端と、内層１３〜１５の短辺方向の両端と、が揃っていない。言い換えると、内層１３〜１５が、外層１１、１２に対して短辺方向（図２（Ａ）、図２（Ｃ）において左右方向）に沿ってずれている。そのため、内層１３〜１５の短辺方向の一方の端部（図２（Ａ）、図２（Ｃ）において右側端部）が、外層１１、１２の短辺方向の一方の端部よりも外側に突出し、内層１３〜１５の短辺方向の他方の端部（図２（Ａ）、図２（Ｃ）において左側端部）が、外層１１、１２の短辺方向の他方の端部よりも中心側に陥没している。その結果、直交集成板１０の短辺方向の一方の端部には、内層１３〜１５の短辺方向の一方の端部が外層１１、１２の短辺方向の一方の端部よりも外側に突出した部分からなる凸部１６が形成されている。一方、直交集成板１０の短辺方向の他方の端部には、内層１３〜１５の短辺方向の他方の端部が外層１１、１２の短辺方向の他方の端部よりも中心側に陥没した部分からなる凹部１７が形成されている。
【００２０】
凸部１６と凹部１７はそれぞれ、層１１〜１５の長辺方向に沿って同一の断面矩形状となる。なお、図２では、内層１３〜１５は、外層１１、１２に対してラミナ１１１の幅の半分、ずれている。すなわち、凸部１６の高さ、および凹部１７の深さ（図２（Ｃ）において左右方向長さ）は１００ｍｍである。また、凸部１６の幅と凹部１７の幅（図２（Ｃ）において上下方向長さ）は、内層１３〜１５の全体的な厚さに相当するので、９０ｍｍである。
【００２１】
次に、図３を用いて、直交集成板２０について説明する。図３に示すように、直交集成板２０は、５つの層２１〜２５が積層されてなる面材（パネル）である。直交集成板２０は全体的に矩形状を呈している。層２１〜２５は積層間で接着されている。
【００２２】
なお、以下において、層２１〜２５の積層方向の両外側に配された層２１、２２を「外層２１、２２」とし、外層２１、２２の内側に配された層２３〜２５を「内層２３〜２５」とする。また、外層２１、２２の一方（図３（Ａ）において上側に配された方）を第１外層２１とし、他方（図３（Ａ）において下側に配された方）を第２外層２２とする。さらに、内層２３〜２５のうちで第１外層２１に接着している層２３を「第１内層２３」とし、第１内層２３に接着している層２４を「第２内層２４」とし、第２外層２２に接着している層２５を「第３内層２５」とする。なお、以下において、便宜上、図３（Ａ）に示す上下左右方向に合わせて上下左右方向を設定する。
【００２３】
第１外層２１および第２外層２２の全体的な形状・寸法は、直交集成板１０の第１外層１１などと同一であるので、それらの説明を省略する。また、第１外層２１および第２外層２２を構成するラミナ２１１、２２１の枚数、配置などからなる第１外層２１および第２外層２２の構造も第１外層１１などと同一であるので、それらの説明を省略する。さらに、第１外層２１および第２外層２２を構成するラミナ２１１、２２１の形状・寸法・材質もラミナ１１１などと同一であるので、それらの説明を省略する。
【００２４】
第２内層２４は、全体的に矩形状を呈する。第２内層２４の長辺方向長さは３０００ｍｍであり、短辺方向長さは８００ｍｍであり、厚さが３０ｍｍである。第２内層２４は、４枚のラミナ２４１で構成されている。４枚のラミナ２４１はそれぞれ同一寸法の矩形状（短冊状）に成形されている。４枚のラミナ２４１は、その長手方向の両端が揃えられた状態でその幅方向に隙間なく並んで所定の接着剤（例えば、木工用接着剤）で接着されている。４枚のラミナ２４１は、スギのひき板で構成されている。そして、ラミナ２４１の長手方向がひき板の繊維方向に一致している。なお、各ラミナ２４１は、長さが３０００ｍｍ、幅が２００ｍｍ、厚さが３０ｍｍに成形されている。また、ラミナ２４１の繊維方向は、ラミナ２１１およびラミナ２２１の繊維方向と平行である。
【００２５】
第１内層２３の全体的な形状・寸法は第２内層２４と同一である。しかしながら、第１内層２３は、１５枚のラミナ２３１で構成されている。１５枚のラミナ２３１は同一寸法の矩形状（短冊状）に成形されている。１５枚のラミナ２３１は、その長手方向の両端が揃えられた状態でその幅方向に隙間なく並んで所定の接着剤（例えば、木工用接着剤）で接着されている。１５枚のラミナ２３１は、スギのひき板で構成されている。そして、ラミナ２３１の長手方向がひき板の繊維方向に一致している。なお、各ラミナ２３１は、長さが８００ｍｍ、幅が２００ｍｍ、厚さが３０ｍｍに成形されている。また、ラミナ２３１の繊維方向は、ラミナ２１１、ラミナ２２１およびラミナ２４１の繊維方向と直交している。
【００２６】
第３内層２５の全体的な形状・寸法は第１内層２３と同一である。また、第３内層２５も、１５枚のラミナ２５１で構成されている。１５枚のラミナ２５１の形状・寸法・材質はラミナ２３１と同一である。そして、第１内層２３と同様に、第３内層２５では、１５枚のラミナ２５１が、その長手方向の両端が揃えられた状態でその幅方向に隙間なく並んで所定の接着剤（例えば、木工用接着剤）で接着されている。
【００２７】
ところで、前述の通り、外層２１、２２の全体的な形状と、内層２３〜２５の全体的な形状は共に矩形状であるが、これらの寸法が異なる。具体的には、外層２１、２２の短辺方向長さが、内層２３〜２５の短辺方向長さよりも長い。そして、外層２１、２２の長辺方向の両端と、内層２３〜２５の長辺方向の両端とは揃っているが、外層２１、２２の短辺方向の両端と、内層２３〜２５の短辺方向の両端とは揃っていない。具体的には、内層２３〜２５の短辺方向の両端が、外層２１、２２の短辺方向の両端よりも短辺方向の中心側に寄っている。すなわち、内層２３〜２５の短辺方向の両端部は、外層２１、２２の短辺方向の両端部よりも中心側に陥没している。その結果、直交集成板２０の短辺方向両端部には、内層２３〜２５の短辺方向の両端部が外層２１、２２の短辺方向の両端部よりも内側に陥没した部分からなる２つの凹部２６、２７が形成されている。凹部２６、２７はそれぞれ、層２１〜２５の長辺方向に沿って同一の断面矩形状となる。なお、図３では、内層２３〜２５の短辺方向両端は、外層２１、２２の短辺方向両端から中心側に同一距離、具体的には、ラミナ２１１の幅の半分、寄っている。すなわち、凹部２６、２７の深さ（図３（Ｃ）において左右方向長さ）は１００ｍｍである。また、凹部２６、２７の幅（図３（Ｃ）において上下方向長さ）は、内層２３〜２５の全体的な厚さに相当するので、９０ｍｍである。
【００２８】
次に、図４を用いて、直交集成板３０について説明する。図４に示すように、直交集成板３０は、５つの層３１〜３５が積層されてなる面材（パネル）である。直交集成板３０は全体的に矩形状を呈している。層３１〜３５は積層間で接着されている。
【００２９】
なお、以下において、層３１〜３５の積層方向の両外側に配された層３１、３２を「外層３１、３２」とし、外層３１、３２の内側に配された層３３〜３５を「内層３３〜３５」とする。また、外層３１、３２の一方（図４（Ａ）において上側に配された方）を第１外層３１とし、他方（図４（Ａ）において下側に配された方）を第２外層３２とする。さらに、内層３３〜３５のうちで第１外層３１に接着している層３３を「第１内層３３」とし、第１内層３３に接着している層３４を「第２内層３４」とし、第２外層３２に接着している層３５を「第３内層３５」とする。なお、以下において、便宜上、図４（Ａ）に示す上下左右方向に合わせて上下左右方向を設定する。
【００３０】
第１外層３１の全体的な形状・寸法は、第１外層１１と同一であるので、それらの説明を省略する。また、第１外層３１を構成するラミナ３１１の枚数、配置などからなる第１外層３１の構造も第１外層１１と同一であるので、それらの説明を省略する。さらに、第１外層３１を構成するラミナ３１１の形状・寸法・材質もラミナ１１１と同一であるので、それらの説明を省略する。
【００３１】
内層３３〜３５の全体的な形状・寸法は、内層１３〜１５と同一であるので、それらの説明を省略する。また、内層３３〜３５を構成するラミナ３３１、３４１、３５１の枚数、配置などからなる内層３３〜３５の構造も内層１３〜１５と同一であるので、それらの説明を省略する。さらに、内層３３〜３５を構成する３３１、３４１、３５１の形状・寸法・材質もラミナ１３１、１４１、１５１と同一であるので、それらの説明を省略する。
【００３２】
第２外層３２は、全体的に矩形状を呈する。第２外層３２の長辺方向長さは３０００ｍｍであり、短辺方向長さは１０４５ｍｍであり、厚さが３０ｍｍである。第２外層３２は、４枚の第１ラミナ３２１と、１枚の第２ラミナ３２２で構成されている。４枚の第１ラミナ３２１はそれぞれ同一寸法の矩形状（短冊状）に成形されている。各第１ラミナ３２１は、長さが３０００ｍｍ、幅が２００ｍｍ、厚さが３０ｍｍに成形されている。第２ラミナ３２２は、長さが３０００ｍｍ、幅が２４５ｍｍ、厚さが３０ｍｍに成形されている。４枚の第１ラミナ３２１および１枚の第２ラミナ３２２は、スギのひき板で構成されている。そして、第１ラミナ３２１および第２ラミナ３２２の長手方向がひき板の繊維方向に一致している。４枚の第１ラミナ３２１と１枚の第２ラミナ３２２が、その長手方向の両端が揃えられた状態でその幅方向に隙間なく並んで所定の接着剤（例えば、木工用接着剤）で接着されている。図４では、第２ラミナ３２２が第２外層３２における短辺方向の一方側（図４（Ａ）、図４（Ｃ）において左側）の端に配置されている。
【００３３】
ところで、前述の通り、第１外層３１の全体的な形状と、第２外層３２の全体的な形状は共に矩形状であるが、これらの寸法が異なる。具体的には、第２外層３２の短辺方向長さが、第１外層３１の短辺方向長さよりも４５ｍｍ、長い。そして、直交集成板３０において、第１外層３１の長辺方向の両端および短辺方向の一端（図４（Ａ）、図４（Ｃ）において右端）と、第２外層３２の長辺方向の両端および短辺方向の一端とは揃っているが、第１外層３１の短辺方向の他端（図４（Ａ）、図４（Ｃ）において左端）と、第２外層３２の短辺方向の他端とは揃っていない。言い換えると、第２外層３２の短辺方向の他端が、第１外層３１の短辺方向の他端よりも短辺方向の外向きに４５ｍｍ、すなわち、内層３３〜３５の全体的な厚さの半分、突出している。
【００３４】
また、層３１〜３５は、その長辺方向の両端は揃っているが、その短辺方向の両端は揃っていない状態で積層している。具体的には、外層３１、３２の短辺方向の両端と、内層３３〜３５の短辺方向の両端と、が揃っていない。外層３１、３２の揃っている側（図４（Ａ）、図４（Ｃ）において右側）の短辺方向の端から、内層３３〜３５が突出している。また、内層３３〜３５が、外層３１、３２の揃っていない側（図４（Ａ）、図４（Ｃ）において左側）の短辺方向の端よりも中心側に寄っている。その結果、直交集成板３０の短辺方向の一方の端部（図４（Ａ）、図４（Ｃ）において右側端部）には、内層３３〜３５の短辺方向の一方の端部が外層３１、３２の短辺方向の一方の端部よりも外側に突出した部分からなる凸部３６が形成されている。一方、直交集成板３０の短辺方向の他方の端部には、内層３３〜３５の短辺方向の他方の端部が外層３１、３２の短辺方向の他方の端部よりも中心側に陥没した部分からなる凹部３７が形成されている。凸部３６と凹部３７はそれぞれ、層３１〜３５の長辺方向に沿って同一の断面形状となる。なお、図４では、内層３３〜３５は、外層３１、３２の揃っている側（図４（Ａ）、図４（Ｃ）において右側）の短辺方向の端から、ラミナ３１１の幅の半分、突出している。すなわち、凸部３６の高さ（図４（Ｃ）において左右方向長さ）は１００ｍｍである。また、凹部３７の浅い方（第１外層３１側）の深さは１００ｍｍであり、深い方（第２外層３２側）の深さは１４５ｍｍである。さらに、凸部３６の幅と凹部３７の幅（図４（Ｃ）において上下方向長さ）は、内層３３〜３５の全体的な厚さに相当するので、９０ｍｍである。
【００３５】
以上のように、直交集成板１０は凸部１６および凹部１７を有する。また、直交集成板２０は、凹部２６、２７を有する。さらに、直交集成板３０は、凸部３６および凹部３７を有する。そして、凸部１６、３６の幅と、凹部１７、２６、２７、３７の幅とは同一である。また、凸部１６、３６の高さと、凹部１７、２６、２７の深さと、凹部３７の浅い方の深さとは同一である。ここで、凸部１６、３６と、凹部１７、２６、２７、３７とを用いた直交集成板１０、２０、３０を接合する接合構造およびその方法について説明する。
【００３６】
最初に、直交集成板１０と直交集成板１０とを平面的に接合する構造およびその接合方法について説明する。なお、以下において平面的に接合する構造を「平面接合構造」ともいう。前述の通り、凸部１６の幅と凹部１７の幅とは同一であり、凸部１６の高さと凹部１７の深さも同一である。よって、凸部１６と凹部１７とを嵌合させることができる。
【００３７】
図５（Ａ）に示すように、２枚の直交集成板１０、１０を、長辺方向の両端を揃えた状態で短辺方向に離して配置させる。このとき、一方の直交集成板１０の凸部１６と、他方の直交集成板１０の凹部１７とが、短辺方向に沿って相対する。ここで、相対する凸部１６の外面と、凹部１７の内面に、所定の接着剤（例えば、木工用の接着剤）を塗布する（図示なし）。そして、図５（Ｂ）に示すように、相対する凸部１６と凹部１７とを嵌合させて、養生することで、２つの直交集成板１０、１０が凸部１６と凹部１７とで平面的に接合されて強固に一体化される。
【００３８】
次に、直交集成板１０と直交集成板２０とを平面的に接合する構造（直交集成板１０と直交集成板２０との平面接合構造）およびその接合方法について説明する。前述の通り、凸部１６の幅と凹部２６、２７の幅とは同一であり、凸部１６の高さと凹部２６、２７の深さも同一である。よって、凸部１６と凹部２６、２７とを嵌合させることができる。
【００３９】
図６（Ａ）に示すように、直交集成板１０と直交集成板２０とを、長辺方向の両端を揃えた状態で短辺方向に離して配置させる。このとき、直交集成板１０の凸部１６と、例えば直交集成板２０の凹部２７とが、短辺方向に沿って相対する。ここで、相対する凸部１６の外面と、凹部２７の内面に、所定の接着剤（例えば、木工用の接着剤）を塗布する（図示なし）。そして、図６（Ｂ）に示すように、相対する凸部１６と凹部２７とを嵌合させて、養生することで、直交集成板１０と直交集成板２０が凸部１６と凹部２７とで平面的に接合されて強固に一体化される。
【００４０】
次に、１枚の直交集成板１０と２枚の直交集成板３０とでＴ字状（直交した三又）に接合する接合構造および接合方法について説明する。前述の通り、直交集成板３０の第２外層３２の第２ラミナ３２２が配された側の短辺方向の端部は、第１外層３１の端部よりも、内層３３〜３５の全体的な厚さの半分、外側に突出している。
【００４１】
そこで、図７（Ａ）に示すように、２枚の直交集成板３０を、それぞれの第２ラミナ３２２が第２外層３２の短辺方向に沿ってつながるように配置する。なお、図７（Ａ）は平面図であり、２枚の直交集成板３０の長辺方向が床２に直交するように直交集成板３０を床２に立たせる。さらに、直交集成板１０の長辺方向が床２に直交するように直交集成板１０を床２に立たせる。そして、一方の直交集成板３０の凹部３７が形成されている側の第１外層３１の端部に、直交集成板１０の凹部１７が形成されている側の第１外層１１の端部を当接させ、他方の直交集成板３０の凹部３７が形成されている側の第１外層３１の端部に、直交集成板１０の凹部１７が形成されている側の第２外層１２の端部を当接させる。そうすると、直交集成板１０の凹部１７と２枚の直交集成板３０の凹部３７とが連通して、言い換えると、直交集成板１０の凹部１７の内面と直交集成板３０の凹部３７の内面に沿ってＴ字状の空隙部１７３７が形成される。
【００４２】
次に、図７（Ｂ）に示すように、空隙部１７３７において、直交集成板１０、３０の長辺方向と平行に、適宜に、例えば丸鋼や異形鉄筋からなる鉄筋１８を設置する。続いて、図７（Ｃ）に示すように、鉄筋１８が配された空隙部１７３７に、コンクリート１９を打設する。そして、図７（Ｄ）に示すように、空隙部１７３７にコンクリート１９を充填して、養生することで、直交集成板１０と２枚の直交集成板３０がコンクリート１９でＴ字状に接合されると共に、接合された直交集成板１０と２枚の直交集成板３０との内部に鉄筋１８とコンクリート１９からなる柱３が形成される。
【００４３】
以上のように、直交集成板１０の短辺方向の一方の端部に形成された凸部１６と、直交集成板１０の短辺方向の他方の端部に形成された凹部１７とに接着剤を塗布して嵌合することで直交集成板１０同士を平面接合することができる。凸部１６および凹部１７は何れも直交集成板１０の積層方向中央部に形成されており、接合部分は内部に隠されている。よって、接合部分が簡素化されて接合部分の意匠性を高めることができる。また、この平面接合に必要な部品点数の軽減を図ると共に、作業の省力化を図ることができる。
【００４４】
なお、図６に示す直交集成板１０と直交集成板２０との平面接合構造についても直交集成板１０同士の平面接合構造と同様な効果を奏する。また、直交集成板３０に形成された凸部３６の高さおよび幅は凸部１６と同一であることから、図５および図６の直交集成板１０に換えて、直交集成板３０を用いて、直交集成板３０と直交集成板１０、２０とを、凸部３６と凹部１７、２６、２７を嵌合して接着させることにより平面的に接合することもできる。
【００４５】
また、直交集成板１０は、全ての層１１〜１５の全体的な形状・寸法は同一であり、外層１１、１２と内層１３〜１５の短辺方向位置を相対的にずらしただけで凸部１６および凹部１７が形成されているので、凸部１６および凹部１７を含む直交集成板１０の製造の容易化を図ることができる。なお、ここでは、外層１１、１２と内層１３〜１５の短辺方向長さが同一であるが、外層１１、１２と内層１３〜１５とを短辺方向長さが異なるように製造し、外層１１、１２と内層１３〜１５とを短辺方向にずらして配置することで凸部１６および凹部１７を形成させても良い。この場合、凸部１６の高さと凹部１７の深さは異なることになる。さらに、直交集成板２０では、内層２３〜２５の短辺方向長さが外層２１、２２の短辺方向長さより短いので、直交集成板２０全体の軽量化を図ることができる。
【００４６】
また、直交集成板１０に形成された凹部１７と、直交集成板３０に形成された凹部３７と、が連通することによって形成されるＴ字状の空隙部１７３７に、接着性を有するコンクリート１９を充填することで、直交集成板１０と２枚の直交集成板３０とをＴ字状に接合して強固に一体化することができる。ここで、コンクリート１９は、外層１１、１２、３１、３２によって被覆され、内部に隠れているので、接合部分が簡素化されて接合部分の意匠性を高めることができる。また、この平面接合に必要な部品点数の軽減を図ると共に、作業の省力化を図ることができる。さらに、空隙部１７３７を区画する外層１１、１２、３１、３２の部分がコンクリート１９を打設するための型枠としても機能し、しかもそのまま壁１の一部として利用できるため、コストの増加を抑えると共に、作業の効率化を図ることができる。また、直交集成板１０と直交集成板３０とを接合しながら、固化後に木材よりも高い剛性を有するコンクリート１９および鉄筋１８を含む柱３が構築されるので、効果的に建築物の強度を高めることができる。また、固化前のコンクリート１９は流動性を有するので、直交集成板１０や直交集成板３０の配置精度や製造誤差などに関わらず、空隙部１７３７の形状に応じてコンクリート１９を充填させることができる。
【００４７】
なお、直交集成板２０に形成された凹部２６、２７の深さおよび幅は凹部１７と同一であることから、図７の直交集成板１０に代えて、直交集成板２０を用いて、直交集成板２０と２枚の直交集成板３０とを、Ｔ字状に接合することもできる。
【００４８】
次に、本発明の直交集成板を用いて建築物の壁および床を構築するための接合構造および接合方法について説明する。ここでは、直交集成板４０、５０が接合されることによって建築物の壁と床が構築される。
【００４９】
最初に図８を用いて、直交集成板４０について説明する。図８に示すように、直交集成板４０は、５つの層４１〜４５が積層されてなる面材（パネル）である。直交集成板４０は全体的に矩形状を呈している。層４１〜４５は積層間で接着されている。各層４１〜４５は、複数枚のラミナ４１１、４２１、４３１、４４１、４５１で構成されている。
【００５０】
なお、以下において、層４１〜４５の積層方向の両外側に配された層４１、４２を「外層４１、４２」とし、外層４１、４２の内側に配された層４３〜４５を「内層４３〜４５」とする。また、外層４１、４２の一方（図８（Ａ）において上側に配された方）を第１外層４１とし、他方（図８（Ａ）において下側に配された方）を第２外層４２とする。さらに、内層４３〜４５のうちで第１外層４１に接着している層４３を「第１内層４３」とし、第１内層４３に接着している層４４を「第２内層４４」とし、第２外層４２に接着している層４５を「第３内層４５」とする。
【００５１】
第１外層４１は、全体的に矩形状を呈する。第１外層４１の長辺方向長さは３０００ｍｍであり、短辺方向長さは１０００ｍｍであり、厚さが３０ｍｍである。第１外層４１は、５枚のラミナ４１１で構成されている。５枚のラミナ４１１は同一寸法の矩形状（短冊状）に成形されている。５枚のラミナ４１１は、その長手方向の両端が揃えられた状態でその幅方向に隙間なく並んで所定の接着剤（例えば、木工用接着剤）で接着されている。５枚のラミナ４１１は、スギのひき板で構成されている。そして、ラミナ４１１の長手方向がひき板の繊維方向に一致している。なお、各ラミナ４１１は、長さが３０００ｍｍ、幅が２００ｍｍ、厚さが３０ｍｍに成形されている。
【００５２】
第２外層４２の全体的な形状・寸法は第１外層４１と同一である。また、第２外層４２も、５枚のラミナ４２１で構成されている。５枚のラミナ４２１の形状・寸法・材質はラミナ４１１と同一である。そして、第１外層４１と同様に、第２外層４２では、５枚のラミナ４２１が、長手方向の両端が揃えられた状態でその幅方向に隙間なく並んで所定の接着剤（例えば、木工用接着剤）で接着されている。また、ラミナ４２１の繊維方向は、ラミナ４１１の繊維方向と平行である。
【００５３】
第２内層４４は、全体的に矩形状を呈する。第２内層４４の長辺方向長さは２８００ｍｍであり、短辺方向長さは１０００ｍｍであり、厚さが３０ｍｍである。第２内層４４も、５枚のラミナ４４１で構成されている。５枚のラミナ４４１はそれぞれ同一寸法の矩形状（短冊状）に成形されている。５枚のラミナ４４１は、その長手方向の両端が揃えられた状態でその幅方向に隙間なく並んで所定の接着剤（例えば、木工用接着剤）で接着されている。５枚のラミナ４４１は、スギのひき板で構成されている。そして、ラミナ４４１の長手方向がひき板の繊維方向に一致している。なお、各ラミナ４４１は、長さが２８００ｍｍ、幅が２００ｍｍ、厚さが３０ｍｍに成形されている。また、ラミナ４４１の繊維方向は、ラミナ４１１およびラミナ４２１の繊維方向と平行である。  
【００５４】
第１内層４３の全体的な形状・寸法は第２内層４４と同一である。しかしながら、第１内層４３は、１４枚のラミナ４３１で構成されている。１４枚のラミナ４３１は同一寸法の矩形状（短冊状）に成形されている。１４枚のラミナ４３１は、その長手方向の両端が揃えられた状態でその幅方向に隙間なく並んで所定の接着剤（例えば、木工用接着剤）で接着されている。１４枚のラミナ４３１は、スギのひき板で構成されている。そして、ラミナ４３１の長手方向がひき板の繊維方向に一致している。なお、各ラミナ４３１は、長さが１０００ｍｍ、幅が２００ｍｍ、厚さが３０ｍｍに成形されている。また、ラミナ４３１の繊維方向は、ラミナ４１１、ラミナ４２１およびラミナ４４１の繊維方向と直交している。
【００５５】
第３内層４５の全体的な形状・寸法は第１内層４３と同一である。また、第３内層４５も、１４枚のラミナ４５１で構成されている。１４枚のラミナ４５１の形状・寸法・材質はラミナ４３１と同一である。そして、第１内層４３と同様に、第３内層４５では、１４枚のラミナ４５１が、その長手方向の両端が揃えられた状態でその幅方向に隙間なく並んで所定の接着剤（例えば、木工用接着剤）で接着されている。また、ラミナ４５１の繊維方向は、ラミナ４３１の繊維方向と平行であり、ラミナ４１１、ラミナ４２１およびラミナ４４１の繊維方向と直交している。
【００５６】
以上のように、ラミナ４１１、４２１、４３１、４４１、４５１からなる層４１〜４５が積層されて直交集成板４０が構成されている。そして、直交集成板４０では、層４１〜４５で平行に揃えられたひき板の繊維方向が積層方向に沿って交互に直交した状態で各層４１〜４５が積層接着されている。
【００５７】
ところで、前述の通り、外層４１、４２の全体的な形状と、内層４３〜４５の全体的な形状は共に矩形状であるが、これらの寸法が異なる。具体的には、外層４１、４２の短辺方向長さと、内層４３〜４５の短辺方向長さと同一であるが、外層４１、４２の長辺方向長さは、内層４３〜４５の長辺方向長さより長い。そして、各層４１〜４５の短辺方向の両端および長辺方向の一方側の端は揃っているが、長辺方向の他方側の端は揃っていない。詳細には、外層４１、４２の長辺方向の一方側の端と、内層４２〜４４の長辺方向の一方側の端と、が揃っているが、外層４１、４２の長辺方向の他方側の端と、内層４２〜４４の長辺方向の他方側の端と、が揃っていない。言い換えると、内層４２〜４４の長辺方向の他方側の端は、外層４１、４２の長辺方向の他方側の端よりも長辺方向真ん中に寄っている。その結果、直交集成板４０における長辺方向の他方側の端部には、内層４２〜４４の長辺方向の他方側の端が外層４１、４２の長辺方向の他方側の端よりも中央方向真ん中に寄って陥没した部分からなる凹部４６が形成されている。凹部４６は、層４１〜４５の短辺方向に沿って同一の断面矩形状となる。なお、図８では、内層４２〜４４の長辺方向の他方側の端は、外層４１、４２の長辺方向の他方の端よりもラミナ４３１、４５１の幅の分、層４１〜４５の長辺方向中央側に寄っている。すなわち、凹部４６の深さは２００ｍｍである。また、凹部４６の幅は、内層４２〜４４の全体的な厚さに相当するので、９０ｍｍである。
【００５８】
次に図９を用いて、直交集成板５０について説明する。図９に示すように、直交集成板５０は、５つの層５１〜５５が積層されてなる面材（パネル）である。直交集成板５０は全体的に矩形状を呈している。層５１〜５５は積層間で接着されている。各層５１〜５５は、複数枚のラミナ５１１、５２１、５３１、５４１、５５１で構成されている。
【００５９】
なお、以下において、層５１〜５５の積層方向の両外側に配された層５１、５２を「外層５１、５２」とし、外層５１、５２の内側に配された層５３〜５５を「内層５３〜５５」とする。また、外層５１、５２の一方（図９において上側に配された方）を第１外層５１とし、他方（図９において下側に配された方）を第２外層５２とする。さらに、内層５３〜５５のうちで第１外層５１に接着している層５３を「第１内層５３」とし、第１内層５３に接着している層５４を「第２内層５４」とし、第２外層５２に接着している層５５を「第３内層５５」とする。
【００６０】
外層５１、５２は、全体的に矩形状を呈する。外層５１、５２の長辺は３０００ｍｍであり、短辺は１０００ｍｍであり、厚さが３０ｍｍである。外層５１、５２はそれぞれ、５枚のラミナ５１１、５２１で構成されている。５枚のラミナ５１１、５２１は同一寸法の矩形状（短冊状）に成形されている。５枚のラミナ５１１、５２１は、長手方向の両端が揃えられた状態でその幅方向に隙間なく並んで所定の接着剤（例えば、木工用接着剤）で接着されている。５枚のラミナ５１１、５２１は、スギのひき板で構成されている。そして、ラミナ５１１、５２１の長手方向がひき板の繊維方向に一致している。ラミナ５１１の繊維方向とラミナ５２１の繊維方向とは平行である。なお、各ラミナ５１１、５２１は、長さが３０００ｍｍ、幅が２００ｍｍ、厚さが３０ｍｍに成形されている。
【００６１】
内層５３、５４、５５の全体的な形状・寸法は外層５１、５２と同一である。そして、内層５３、５４、５５のうちで両外側に配されている内層５３、５５は、１５枚のラミナ５３１、５５１で構成されている。１５枚のラミナ５３１、５５１は同一寸法の矩形状（短冊状）に成形されている。１５枚のラミナ５３１、５５１は、長手方向の両端が揃えられた状態でその幅方向に隙間なく並んで所定の接着剤（例えば、木工用接着剤）で接着されている。１５枚のラミナ５３１、５５１は、スギのひき板で構成されている。そして、１５枚のラミナ５３１、５５１の長手方向がひき板の繊維方向に一致している。１５枚のラミナ５３１、５５１の繊維方向は、ラミナ５１１、５２１の繊維方向に直交している。なお、各ラミナ５３１、５５１は、長さが１０００ｍｍ、幅が２００ｍｍ、厚さが３０ｍｍに成形されている。
【００６２】
また、内層５３、５４、５５のうちで内側に配されている内層５４は、５枚のラミナ５４１で構成されている。５枚のラミナ５４１は、ラミナ５１１や５２１と同一寸法の矩形状（短冊状）に成形されている。５枚のラミナ５４１は、長手方向の両端が揃えられた状態でその幅方向に隙間なく並んで所定の接着剤（例えば、木工用接着剤）で接着されている。５枚のラミナ５４１は、スギのひき板で構成されている。そして、５枚のラミナ５４１の長手方向がひき板の繊維方向に一致している。５枚のラミナ５４１の繊維方向は、ラミナ５１１、５２１の繊維方向と平行であり、ラミナ５３１、５５１の繊維方向に直交している。なお、各ラミナ５４１は、長さが３０００ｍｍ、幅が２００ｍｍ、厚さが３０ｍｍに成形されている。
【００６３】
以上のように、ラミナ５１１、５２１、５３１、５４１、５５１からなる層５１〜５５が積層されて直交集成板５０が構成されている。そして、直交集成板５０では、層５１〜５５で平行に揃えられたひき板の繊維方向が積層方向に沿って交互に直交した状態で各層５１〜５５が積層接着されている。また、各層５１〜５５は全体的に同一寸法の矩形状を呈している。そして、各層５１〜５５の長辺方向の両端および短辺方向の両端は揃えられている。
【００６４】
次に、１枚の直交集成板４０と２枚の直交集成板５０とを用いて壁および床が構築されるＴ字状（直交した三又）の接合構造およびその接合方法について説明する。前述の通り、直交集成板４０の長辺方向の一方側の端は揃えられている一方、他方側の端は揃えられておらず、凹部４６が形成されている。
【００６５】
そこで、図１０（Ａ）に示すように、直交集成板４０を、凹部４６が上側に配置される（上側を向いて開放する）ように床（図示なし）に垂直に立てる。そして、外層４１、４２の凹部４６が形成されている側の端のそれぞれに、直交集成板５０を直交集成板４０に直交させて載せ、２枚の直交集成板５０を長辺方向に沿って並べ、短辺方向両端を直交集成板４０の短辺方向両端と合わせる。このとき、２枚の直交集成板５０の平坦な側面が、その長辺方向に沿って相対する。そして、直交集成板５０の相対する側の長辺方向の端を、接している外層４１、４２の積層方向内側の端に揃える。そうすると、凹部４６の上に２枚の直交集成板５０で挟まれた開口部５６が形成される。この開口部５６と凹部４６が連通し、言い換えれば、直交集成板４０の凹部４６の内面と直交集成板５０の平坦な側面に沿って、Ｉ字状の空隙部４６５６が形成される。
【００６６】
次に、図１０（Ｂ）に示すように、空隙部４６５６において、直交集成板４０の短辺方向に沿って、適宜に、丸鋼や異形鉄筋からなる鉄筋４８を設置する。続いて、図１０（Ｃ）に示すように、鉄筋４８が配された空隙部４６５６に、コンクリート４９を打設する。そして、図１０（Ｄ）に示すように、空隙部４６５６にコンクリート４９を充填して、養生することで、１枚の直交集成板４０と２枚の直交集成板５０がコンクリート４９でＴ字状に接合される。その結果、床に垂直に立てられた直交集成板４０からなる壁４と、および壁４の上で水平に保持された直交集成板５０からなる床５が構築されると共に、接合した１枚の直交集成板４０と２枚の直交集成板５０との間に鉄筋４８とコンクリート４９からなる梁６が形成される。
【００６７】
このように、直交集成板４０に形成された凹部４６と、２枚の直交集成板５０に挟まれた開口部５６と、が連通することによって形成される空隙部４６５６に、接着性を有するコンクリート４９を充填することで、直交集成板４０と２枚の直交集成板５０とをＴ字状に接合して強固に一体化することができる。ここで、コンクリート４９は、外層４１、４２と、直交集成板５０によって被覆され、内部に隠れているので、接合部分が簡素化されて接合部分の意匠性を高めることができる。また、この平面接合に必要な部品点数の軽減を図ると共に、作業の省力化を図ることができる。さらに、空隙部４６５６を区画する外層４１、４２の部分と直交集成板５０がコンクリート４９を打設するための型枠としても機能し、しかもそのまま壁４および床５の一部として利用できるため、コストの増加を抑えると共に、作業の効率化を図ることができる。また、直交集成板４０と直交集成板５０とを接合しながら、固化後に木材よりも高い剛性を有するコンクリート４９および鉄筋４８を含む梁６が構築されるので、効果的に建築物の強度を高めることができる。また、固化前のコンクリート４９は流動性を有するので、直交集成板４０や直交集成板５０の配置精度や製造誤差などに関わらず、空隙部４６５６の形状に応じてコンクリート４９を充填させることができる。
【００６８】
なお、コンクリート４９を打設して梁６を構築する場合、上側が開放されても支障はないので、直交集成板１０と直交集成板３０とで柱３を構築する場合のように、一方の外層３２を他方の外層３１よりも長くして空隙部１７３７を周方向に閉鎖する必要はない。直交集成板５０の開口部５６が形成されていない側の端部は平坦であり、凸部１６や凹部１７のような凸部や凹部が形成されていないが、凸部１６や凹部１７のような凸部や凹部が形成されていても良い。
【００６９】
（その他の実施形態）
次に、上述した第１実施形態以外の本発明の実施形態について、説明する。
【００７０】
直交集成板１０、２０、３０、４０、５０（以下、「直交集成板１０など」という）に含まれるラミナは、スギで構成されているが、ラミナを構成する木材はスギに限られず、ヒノキやカラマツなどの他の一種類の木材（木質）を用いても良い。また、直交集成板１０などを一種類の木材で構成しなくてもよい。例えば、直交集成板１０などを構成する層またはプライ単位で木材の種類を異ならせても良い。また、同一の層において、ラミナ単位で木材の種類を異ならせても良い。さらには、直交集成板１０などに含まれるラミナはひき板で構成されているが、ラミナの一部または全部を、断面形状が正方形または矩形の小角材に替えてもよい。
【００７１】
また、直交集成板１０などの全体的な形状・寸法も上述した例に限られず適宜に変更しても良い。例えば、直交集成板１０などの平面視矩形状の縦横比を変更しても良い。さらには、直交集成板１０などの全体的な厚さを変更しても良い。
【００７２】
加えて、直交集成板１０などを構成する層の数や形状・寸法も上述した例に限られず適宜に変更しても良い。例えば、直交集成板１０などを構成する層の数を５より多くまたは少なくしても良い。また、直交集成板１０などを構成する層の平面視矩形状の縦横比を変更しても良い。さらに、直交集成板１０などを構成する層の厚さは同一であるが層によって厚さを異ならせても良い。厚さを異ならせることで、凸部１６、３６および凹部１７、２６、２７、３７、４６ならびに開口部５６（以下、「凸部１６や凹部１７など」という）の厚さを調整することができる。
【００７３】
また、直交集成板１０などを構成する層は全て１つのプライで構成されているが、複数のプライで構成されても良い。言い換えると、積層方向に複数のラミナが重ねられて層が形成されても良い。
【００７４】
さらに、直交集成板１０などを構成するラミナの繊維方向も上述した例に限られず、適宜に変更しても良い。例えば、層１１、１２、１４などを構成するラミナの繊維方向を直交集成板１０などの短辺方向に平行にし、内層１３、１５などを構成するラミナの繊維方向を直交集成板１０などの長辺方向に平行にしても良い。
【００７５】
加えて、直交集成板１０などでは、層を構成するラミナの繊維方向は積層方向に沿って交互に直交しているが、必ずしも交互に直交しなくても良い。例えば、積層方向に連続する一部の層を構成するラミナの繊維方向を平行にしても良い。具体的には、直交集成板１０であれば、積層方向の中心に配された層１４を構成するラミナ１４１の繊維方向を直交集成板１０の短辺方向と平行にし、それ以外の層１１、１２、１３、１５を構成するラミナ１１１、１２１、１３１、１５１の繊維方向を直交集成板１０の長辺方向と平行にしても良い。
【００７６】
また、凸部１６や凹部１７などの幅方向の中心は、直交集成板１０などの厚さ方向の中心に一致しているが、一致させなくても良い。すなわち、凸部１６や凹部１７などの幅方向の中心を、直交集成板１０などの厚さ方向の中心に対して偏心させても良い。例えば、直交集成板１０であれば、第１外層１１の表面に、第１外層１１と同一構造からなる層を積層させ、直交集成板１０を６層構造にするとする。この場合、直交集成板１０の厚さ方向の中心は、上側から３層目（第１内層１３）と４層目（第２内層１４）との接触面になるが、凸部１６および凹部１７の幅方向の中心は上側から４層目（第２内層１４）の厚さ方向中心になる。
【００７７】
さらには、直交集成板１０であれば、第３内層１５の短辺方向両端を外層１１、１２の短辺方向両端に一致させ、凸部１６の突出している部分および凹部１７の陥没している部分を第１内層１３と第２内層１４とで構成させるとする。この場合、直交集成板１０の厚さ方向の中心は、第２内層１４の厚さ方向中心になるが、凸部１６および凹部１７の幅方向の中心は第１内層１３と第２内層１４の接着面になる。
【００７８】
また、直交集成板１０では、短辺方向の一方側に形成される凸部１６の高さと、短辺方向の他方側に形成される凹部１７の深さと、は同一であるが、相違させても良い。同様に、直交集成板２０では、短辺方向の一方側に形成される凹部２６の深さと、短辺方向の他方側に形成される凹部２７の深さと、は同一であるが、相違させても良い。例えば、直交集成板２０であれば、内層２３〜２５を短辺方向に沿って５０ｍｍ正面視で左側にずらしても良い。この場合、直交集成板２０の短辺方向の一方側に形成される凹部２６の深さが１５０ｍｍとなり、短辺方向の他方側に形成される凹部２７の深さが５０ｍｍとなる。
【００７９】
さらに、直交集成板１０などについて、直交集成板３０の第２外層３２を除いて、各層を構成するラミナの幅が同一寸法に統一されているが、各層において異なる幅のラミナを混在させても良い。１つの層において異なる幅のラミナを混在させることで凸部１６の高さや凹部１７の深さなどを調整することができる。例えば、直交集成板１０であれば、第２内層１４の短辺方向右端に配されるラミナ１４１の幅を５０ｍｍ長くして２５０ｍｍにし、それに合わせて第１内層１３を構成するラミナ１３１と第３内層１５を構成するラミナ１５１の長さを５０ｍｍ長くして１０５０ｍｍにする。この場合、直交集成板１０の凸部１６の高さが１５０ｍｍとなり、凹部１７の深さが１００ｍｍとなる。
【００８０】
加えて、直交集成板４０について、第１内層４３、第３内層４５の凹部４６が形成されている側の端に、ラミナ４３１、４５１の幅の半分（１００ｍｍ）の幅からなるラミナを、ラミナ４３１、４５１と長手方向の両端を揃えて増設し、それに合わせてラミナ４４１の長さを１００ｍｍ長くして２９００ｍｍにする。この場合、凹部４６の深さは１００ｍｍとなる。
【００８１】
なお、上述のように、１つの層に複数種類の幅からなるラミナを混在させる場合、ラミナの配置は特に限定されない。例えば、直交集成板３０であれば、第２ラミナ３２２を第２外層３２の短辺方向の中央辺りに配置しても良い。
【００８２】
さらに、直交集成板１０などの端部に凸部１６や凹部１７などが形成される場合、その数は１つであるが複数設けられても良い。例えば、直交集成板１０などの一方側の端部に突出した凸部が複数形成されても良い。この場合、複数の凸部の高さおよび幅の双方または何れか一方は同一であっても良い。さらには、直交集成板１０などの一方側の端部に陥没した凹部が複数形成されても良い。この場合、複数の凹部の深さおよび幅の双方または何れか一方は同一であっても良い。加えて、直交集成板１０などの一方側の端部に、突出した凸部と陥没した凹部が混在して複数形成されても良い。この場合、凸部の高さと凹部の深さは同一であっても相違しても良い。また、凸部の厚さと凹部の厚さとは同一であっても相違しても良い。
【００８３】
また、第１実施形態では、空隙部１７３７、４６５６に主筋として、丸鋼や異形鉄筋からなる鉄筋１８、３８を配置しているが、鉄筋１８、３８の全て又は一部に代えて、炭素繊維やガラス繊維などの強化繊維に樹脂（マトリックス）を含浸させて固めて生成される強化繊維プラスチック製の主筋を配置しても良い。この場合、主筋に含まれる強化繊維の繊維方向は主筋の軸方向となることが望ましい。また、主筋に加えて、主筋に直交して取り囲む帯筋を配置しても良い。さらには、主筋および帯筋を配置しなくても良い。なお、主筋の断面形状、寸法および強度は特に限定されないが、設計強度に応じて適宜に設定されることが望ましい。
【００８４】
加えて、第１実施形態では、直交集成板１０と直交集成板３０とを接合して一体化させる、または、直交集成板４０と直交集成板５０とを接合して一体化させると共に、構造体としての補強効果を発揮させるために、空隙部１７３７、４６５６に、コンクリート１９、３９を充填している。しかし、空隙部１７３７、４６５６に充填する充填材の材料はコンクリートに限られず、例えばモルタルなどのように、接着性を有すると共に、固化前に流動性を有し且つ固化後に木材よりも高い剛性を有する材料にしても良い。さらに、そのような特性を有するのであれば、樹脂系の材料を空隙部１７３７、４６５６に充填しても良い。なお、充填材の接着性、流動性、および剛性は特に限定されないが、空隙部１７３７、４６５６の形状や設計強度に応じて適宜に設定されることが望ましい。
【００８５】
また、直交集成板１０、２０、３０、４０では、短辺方向の端部または長辺方向の端部の何れかに凸部１６や凹部１７などが形成されているが、１枚の直交集成板１０、２０、３０、４０における短辺方向の端部と長辺方向の端部に凸部１６や凹部１７などを形成させても良い。さらに、直交集成板１０などに形成される凸部１６や凹部１７などの組み合わせは適宜に変更しても良い。例えば、直交集成板２０の凹部２７の部分を、直交集成板３０の凹部３７で構成させても良い。
【００８６】
また、直交集成板３０について、第２ラミナ３２２を、第２ラミナ３２２よりも７５ｍｍ幅が広いラミナ３２３に置き換えるとする。この第２ラミナ３２２がラミナ３２３に置き換わった直交集成板を直交集成板６０とする。さらに、直交集成板６０には、凹部３７に置き換わって凹部６７が形成されているとする。そしてこの直交集成板６０を２つ用いて直角に、言い換えるとＬ字状に接合して隅角部をすることができる。まずは、２枚の直交集成板６０の長辺方向が床（図示なし）に直交するように２枚の直交集成板６０を床に立てる。次に、図１１（Ａ）に示すように、一方（図１１（Ａ）において右側）の直交集成板６０のラミナ３２３の長手方向に沿った側面と、他方（図１１において左側）の直交集成板６０のラミナ３２３の長手方向に沿った外側の縁部の表面とを当接させる。さらに、一方の直交集成板６０のラミナ３１１の長手方向に沿った側面と、他方の直交集成板６０のラミナ３１１の長手方向に沿った外側の縁部の表面とを当接させる。そうすると、一方の直交集成板６０の凹部６７と他方の直交集成板６０の凹部６７とが連通して、Ｌ字状の空隙部６７６７が形成される。
【００８７】
そして、図７の場合と同様に、空隙部６７６７に、直交集成板６０の長辺方向に沿って鉄筋６８を適宜に配置し、コンクリート６９を打設すると、図１１（Ｂ）に示すように、２枚の直交集成板６０がコンクリート６９で直交して接合されると共に、接合された２枚の直交集成板６０の内部に鉄筋６８とコンクリート６９からなる柱３Ｂが形成される。なお、空隙部１７３７、４６５６の場合と同様に、鉄筋６８に代えて強化繊維プラスチック製の主筋を配置し、コンクリート６９に代えて、接着性を有すると共に、固化前に流動性を有し且つ固化後に木材よりも高い剛性を有する材料を充填させても良い。
【００８８】
また、第１実施形態では、凸部１６、３６および凹部１７、３７は、外層１１〜１２、３１〜３２と、内層１３〜１５、３３〜３５を積層方向に直交する方向にずらすことによって形成されているが、元々は凸部１６や凹部１７などが形成されていない直交集成板の一部のラミナを切り欠く（切断する）ことによって形成させても良い。
【００８９】
例えば、図１２は、直交集成板７０の正面図であり、向かって右側に長辺方向に凸部７６が形成され、左側に凹部７７が形成されている。そして、直交集成板７０は、凸部７６および凹部７７が形成される前は、直交集成板５０と同一の形状・寸法であったとする。
【００９０】
凸部７６は、図９に示す直交集成板５０の右端の上部および右端の下部を、高さ４５ｍｍで幅１００ｍｍからなる矩形断面で、長辺方向に沿って切断することで形成されている。凹部７７は、図９に示す直交集成板５０の直交集成板５０の左端の中央を高さ４５ｍｍで幅１００ｍｍからなる矩形断面で、長辺方向に沿って切断することで形成されている。その結果、凸部７６の高さ（直交集成板７０の短辺方向に沿った長さ）は１００ｍｍであり、幅（直交集成板７０の積層方向に沿った長さ）は４５ｍｍである。また、凹部７７の深さ（直交集成板７０の短辺方向に沿った長さ）は１００ｍｍであり、幅（直交集成板７０の積層方向に沿った長さ）は４５ｍｍである。このように、元々は周方向に凹凸が形成されていない直交集成板を適宜に切り欠く（切断する）ことで、凸部や凹部を形成させることもできる。なお、図１２では、直交集成板７０の右側端部に凸部７６が形成され、左側端部に凹部７７が形成されているが、凸部７６や凹部７７が形成される組み合わせは適宜に設定しても良い。例えば、凹部７７が形成されておらず一方の端部で凸部７６のみが形成されていても良い。反対に、凸部７６が形成されておらず一方の端部で凹部７７のみが形成されていても良い。さらには、直交集成板７０の短辺方向における何れの端部にも凸部７６が形成されていても良い。また、直交集成板７０の短辺方向における何れの端部にも凹部７７が形成されていても良い。
【００９１】
また、空隙部１７３７、４６５６、６７６７の形状・寸法も上述の例示に限られず、適宜に設定しても良い。さらに、空隙部１７３７、４６５６、６７６７を形成させるための構造も上述の例示に限られない。例えば、直交集成板１０と直交集成板３０とをＴ字状に接合する場合、図７の右側に配置された直交集成板３０を直交集成板１０に置き換え、左側に配置された直交集成板３０の第２ラミナ３２２の幅を４５ｍｍ広くして９０ｍｍにし、第２ラミナ３２２と、置き換えられた直交集成板１０の第１外層１１のラミナ１１１とをつなげても良い。また、図７の一方の直交集成板３０の第２ラミナ３２２の幅を狭くし、他方の直交集成板３０の第２ラミナ３２２の幅を同じ分、広くして、第２ラミナ３２２同士をつなげても良い。
【００９２】
さらに、空隙部１７３７は、同一幅の凹部１７と凹部３７とが連通して形成されているが、凹部１７と凹部３７の幅が異なるようにしても良い。同様に、空隙部６７６７を構成する２つの凹部６７の一方の幅を変更しても良い。
【００９３】
また、直交集成板１０について、図１３に示すように、内層１３〜１５を短辺方向左側に伸ばして、短辺方向の両端部に凸部１６、８６を形成させることができる。例えば、図２に示す第２内層１４の左端に配されているラミナ１４１の左隣にラミナ１４１を同一方向に揃えて隙間なく並べると共に、内層１４の短辺方向左端と内層１３、１５の短辺方向左端が揃うように、内層１３、１５を構成するラミナ１３１、１５１を短辺方向左側に２００ｍｍ長くする。そうすると、図１３に示すように、凸部１６と左右対称となる凸部８６が直交集成板１０の左端に形成される。
【符号の説明】
【００９４】
１０、２０、３０、４０、５０、６０、７０…直交集成板
１１、２１、３１、４１、５１…第１外層（層）
１２、２２、３２、４２、５２…第２外層（層）
１３、２３、３３、４３、５３…第１内層（層）
１４、２４、３４、４４、５４…第２内層（層）
１５、２５、３５、４５、５５…第３内層（層）
１６、３６、７６、８６…凸部
１７、２６、２７、３７、４６、６７、７７…凹部
５６…開口部
１７３７、４６５６、６７６７…空隙部
１８、４８、６８…鉄筋
１９、４９、６９…コンクリート
【図１】
2019000989.tif 000003
【図２】
2019000989.tif 000004
【図３】
2019000989.tif 000005
【図４】
2019000989.tif 000006
【図５】
2019000989.tif 000007
【図６】
2019000989.tif 000008
【図７】
2019000989.tif 000009
【図８】
2019000989.tif 000010
【図９】
2019000989.tif 000011
【図１０】
2019000989.tif 000012
【図１１】
2019000989.tif 000013
【図１２】
2019000989.tif 000014
【図１３】
2019000989.tif 000015
【手続補正書】
【提出日】平成29年12月4日(2017.12.4)
【手続補正１】
【補正対象書類名】特許請求の範囲
【補正対象項目名】全文
【補正方法】変更
【補正の内容】
【特許請求の範囲】
【請求項１】
全体的に平坦な矩形状に形成された２つの直交集成板の平面接合構造であって、
前記２つの直交集成板のそれぞれは全体的に、長辺方向長さが３ｍ以上、且つ、短辺方向長さが１ｍ以上に構成され、
前記２つの直交集成板の少なくとも長辺方向長さ、または短辺方向長さは同一であり、
前記２つの直交集成板の一方の直交集成板の少なくとも他方の直交集成板と長さが同一の方向に直交する方向に沿った一方の端部に凸部が設けられ、
前記２つの直交集成板の前記他方の直交集成板の少なくとも前記一方の直交集成板と長さが同一の方向に直交する方向に沿った一方の端部に凹部が設けられ、
前記２つの直交集成板はともに同一厚さの一対の外層と、当該外層の間に形成される内層と、を有し、
前記凸部、および前記凹部は前記内層に形成され、
前記凸部と前記凹部が篏合できるよう、前記凸部の高さと前記凹部の深さ、および前記凸部の幅と前記凹部の幅とは同一であり、
前記凸部と前記凹部とは篏合された状態で接着して一体化されていることを特徴とする２つの直交集成板の平面接合構造。
【請求項２】
全体的に平坦な矩形状に形成された２つの直交集成板の直交接合構造であって、
前記２つの直交集成板の少なくとも長辺方向長さ、または短辺方向長さは同一であり、
前記２つの直交集成板のそれぞれには、長さが同一の方向に直交する方向に沿った一方の端部に凹部が設けられ、
前記２つの直交集成板はともに、一対の外層と、当該外層の間に形成される内層と、を有し、
前記凹部は前記内層に、同一の幅で形成され、
前記２つの直交集成板は、それぞれの前記凹部が形成されている側の端部で直交して接続されて隅角部を形成し、
前記２つの直交集成板の前記隅角部に対して外側に配置されている外層同士と、前記２つの直交集成板の前記隅角部に対して内側に配置されている外層同士と、が当接し、
前記２つの直交集成板の一方の前記凹部と前記２つの直交集成板の他方の前記凹部が連通し、断面略Ｌ字状の空隙部が形成され、
前記空隙部において、コンクリート、またはモルタルが充填され、
当該コンクリート、またはモルタルによって前記２つの直交集成板が直交して接合されていることを特徴とする直交集成板の直交接合構造。
【請求項３】
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板のそれぞれには、長さが同一の方向に直交する方向に沿った一方の端部に凹部が設けられ、
前記３つの直交集成板のそれぞれは、一対の外層と、当該外層の間に形成される内層と、を有し、
前記３つの直交集成板は、前記凹部が形成された側の端部でＴ字状に接続され、
前記３つの直交集成板の接続部分において、前記３つの直交集成板の周方向に隣接する前記外層同士が接続されて、前記３つの直交集成板の全ての前記外層によって前記３つの前記凹部が閉鎖されるように取り囲まれ、前記３つの前記凹部が連通して断面略Ｔ字状の空隙部が形成され、
前記空隙部に、コンクリート、またはモルタルが充填され、
当該コンクリート、またはモルタルによって前記３つの直交集成板がＴ字状に接合されていることを特徴とする直交集成板の接合構造。
【請求項４】
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板が端部でＴ字状に配置され、
前記３つの直交集成板の中で対向して配置された２つの直交集成板の対向する側の端面は平坦に成形され、残りの直交集成板の前記２つの直交集成板に対向する側の端部に凹部が設けられ、
前記３つの直交集成板のそれぞれは、一対の外層と、当該外層の間に形成される内層と、を有し、
前記凹部は前記内層に形成され、
前記２つの直交集成板のうちの一方は前記残りの直交集成板の前記凹部が形成された側の一方の外層に接続され、前記２つの直交集成板のうちの他方は前記残りの直交集成板の前記凹部が形成された側の他方の外層に接続され、前記２つの直交集成板の間に開口部が形成され、
前記開口部と前記凹部とが連通して断面略Ｉ字形状の空隙部が形成され、
前記空隙部に、コンクリート、またはモルタルが充填され、
当該コンクリート、またはモルタルによって前記３つの直交集成板がＴ字状に接合されていることを特徴とする直交集成板の接合構造。
【請求項５】
請求項２乃至４の何れか１つに記載の直交集成板の接合構造において、
前記空隙部に、当該空隙部の深さ方向に沿って、金属製または強化繊維プラスチック製の主筋が配置されていることを特徴とする直交集成板の接合構造。
【手続補正２】
【補正対象書類名】明細書
【補正対象項目名】０００７
【補正方法】変更
【補正の内容】
【０００７】
上記課題の解決を目的としてなされた本発明に係る直交集成板の接合構造の一形態１は、
全体的に平坦な矩形状に形成された２つの直交集成板の平面接合構造であって、
前記２つの直交集成板のそれぞれは全体的に、長辺方向長さが３ｍ以上、且つ、短辺方向長さが１ｍ以上に構成され、
前記２つの直交集成板の少なくとも長辺方向長さ、または短辺方向長さは同一であり、
前記２つの直交集成板の一方の直交集成板の少なくとも他方の直交集成板と長さが同一の方向に直交する方向に沿った一方の端部に凸部が設けられ、
前記２つの直交集成板の前記他方の直交集成板の少なくとも前記一方の直交集成板と長さが同一の方向に直交する方向に沿った一方の端部に凹部が設けられ、
前記２つの直交集成板はともに同一厚さの一対の外層と、当該外層の間に形成される内層と、を有し、
前記凸部、および前記凹部は前記内層に形成され、
前記凸部と前記凹部が篏合できるよう、前記凸部の高さと前記凹部の深さ、および前記凸部の幅と前記凹部の幅とは同一であり、
前記凸部と前記凹部とは篏合された状態で接着して一体化されていることを特徴とする。
また、上記課題の解決を目的としてなされた本発明に係る直交集成板の接合構造の一形態２は、
全体的に平坦な矩形状に形成された２つの直交集成板の直交接合構造であって、
前記２つの直交集成板の少なくとも長辺方向長さ、または短辺方向長さは同一であり、
前記２つの直交集成板のそれぞれには、長さが同一の方向に直交する方向に沿った一方の端部に凹部が設けられ、
前記２つの直交集成板はともに、一対の外層と、当該外層の間に形成される内層と、を有し、
前記凹部は前記内層に、同一の幅で形成され、
前記２つの直交集成板は、それぞれの前記凹部が形成されている側の端部で直交して接続されて隅角部を形成し、
前記２つの直交集成板の前記隅角部に対して外側に配置されている外層同士と、前記２つの直交集成板の前記隅角部に対して内側に配置されている外層同士と、が当接し、
前記２つの直交集成板の一方の前記凹部と前記２つの直交集成板の他方の前記凹部が連通し、断面略Ｌ字状の空隙部が形成され、
前記空隙部において、コンクリート、またはモルタルが充填され、
当該コンクリート、またはモルタルによって前記２つの直交集成板が直交して接合されていることを特徴とする。
また、上記課題の解決を目的としてなされた本発明に係る直交集成板の接合構造の一形態３は、
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板のそれぞれには、長さが同一の方向に直交する方向に沿った一方の端部に凹部が設けられ、
前記３つの直交集成板のそれぞれは、一対の外層と、当該外層の間に形成される内層と、を有し、
前記３つの直交集成板は、前記凹部が形成された側の端部でＴ字状に接続され、
前記３つの直交集成板の接続部分において、前記３つの直交集成板の周方向に隣接する前記外層同士が接続されて、前記３つの直交集成板の全ての前記外層によって前記３つの前記凹部が閉鎖されるように取り囲まれ、前記３つの前記凹部が連通して断面略Ｔ字状の空隙部が形成され、
前記空隙部に、コンクリート、またはモルタルが充填され、
当該コンクリート、またはモルタルによって前記３つの直交集成板がＴ字状に接合されていることを特徴とする。
また、上記課題の解決を目的としてなされた本発明に係る直交集成板の接合構造の一形態４は、
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板が端部でＴ字状に配置され、
前記３つの直交集成板の中で対向して配置された２つの直交集成板の対向する側の端面は平坦に成形され、残りの直交集成板の前記２つの直交集成板に対向する側の端部に凹部が設けられ、
前記３つの直交集成板のそれぞれは、一対の外層と、当該外層の間に形成される内層と、を有し、
前記凹部は前記内層に形成され、
前記２つの直交集成板のうちの一方は前記残りの直交集成板の前記凹部が形成された側の一方の外層に接続され、前記２つの直交集成板のうちの他方は前記残りの直交集成板の前記凹部が形成された側の他方の外層に接続され、前記２つの直交集成板の間に開口部が形成され、
前記開口部と前記凹部とが連通して断面略Ｉ字形状の空隙部が形成され、
前記空隙部に、コンクリート、またはモルタルが充填され、
当該コンクリート、またはモルタルによって前記３つの直交集成板がＴ字状に接合されていることを特徴とする。
また、上記課題の解決を目的としてなされた本発明に係る直交集成板の接合構造の一形態５は、
本発明に係る直交集成板の接合構造の一形態２乃至一形態４の何れか１つに記載の直交集成板の接合構造において、
前記空隙部に、当該空隙部の深さ方向に沿って、金属製または強化繊維プラスチック製の主筋が配置されていることを特徴とする。
【手続補正書】
【提出日】平成30年5月28日(2018.5.28)
【手続補正１】
【補正対象書類名】特許請求の範囲
【補正対象項目名】全文
【補正方法】変更
【補正の内容】
【特許請求の範囲】
【請求項１】
全体的に平坦な矩形状に形成された２つの直交集成板の直交接合構造であって、
前記２つの直交集成板の少なくとも長辺方向長さ、または短辺方向長さは同一であり、
前記２つの直交集成板のそれぞれには、長さが同一の方向に直交する方向に沿った一方の端部に凹部が設けられ、
前記２つの直交集成板はともに、一対の外層と、当該外層の間に形成される内層と、を有し、
前記凹部は前記内層に、同一の幅で形成され、
前記２つの直交集成板は、それぞれの前記凹部が形成されている側の端部で直交して接続されて隅角部を形成し、
前記２つの直交集成板の前記隅角部に対して外側に配置されている外層同士と、前記２つの直交集成板の前記隅角部に対して内側に配置されている外層同士と、が当接し、
前記２つの直交集成板の一方の前記凹部と前記２つの直交集成板の他方の前記凹部が連通し、断面略Ｌ字状の空隙部が形成され、
前記空隙部において、コンクリート、またはモルタルが充填され、
当該コンクリート、またはモルタルによって前記２つの直交集成板が直交して接合されていることを特徴とする直交集成板の直交接合構造。
【請求項２】
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板のそれぞれには、長さが同一の方向に直交する方向に沿った一方の端部に凹部が設けられ、
前記３つの直交集成板のそれぞれは、一対の外層と、当該外層の間に形成される内層と、を有し、
前記３つの直交集成板は、前記凹部が形成された側の端部でＴ字状に接続され、
前記３つの直交集成板の接続部分において、前記３つの直交集成板の周方向に隣接する前記外層同士が接続されて、前記３つの直交集成板の全ての前記外層によって前記３つの前記凹部が閉鎖されるように取り囲まれ、前記３つの前記凹部が連通して断面略Ｔ字状の空隙部が形成され、
前記空隙部に、コンクリート、またはモルタルが充填され、
当該コンクリート、またはモルタルによって前記３つの直交集成板がＴ字状に接合されていることを特徴とする直交集成板の接合構造。
【請求項３】
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板が端部でＴ字状に配置され、
前記３つの直交集成板の中で対向して配置された２つの直交集成板の対向する側の端面は平坦に成形され、残りの直交集成板の前記２つの直交集成板に対向する側の端部に凹部が設けられ、
前記３つの直交集成板のそれぞれは、一対の外層と、当該外層の間に形成される内層と、を有し、
前記凹部は前記内層に形成され、
前記２つの直交集成板のうちの一方は前記残りの直交集成板の前記凹部が形成された側の一方の外層に接続され、前記２つの直交集成板のうちの他方は前記残りの直交集成板の前記凹部が形成された側の他方の外層に接続され、前記２つの直交集成板の間に開口部が形成され、
前記開口部と前記凹部とが連通して断面略Ｉ字形状の空隙部が形成され、
前記空隙部に、コンクリート、またはモルタルが充填され、
当該コンクリート、またはモルタルによって前記３つの直交集成板がＴ字状に接合されていることを特徴とする直交集成板の接合構造。
【請求項４】
請求項１乃至３の何れか１つに記載の直交集成板の接合構造において、
前記空隙部に、当該空隙部の深さ方向に沿って、金属製または強化繊維プラスチック製の主筋が配置されていることを特徴とする直交集成板の接合構造。
【手続補正２】
【補正対象書類名】明細書
【補正対象項目名】０００７
【補正方法】変更
【補正の内容】
【０００７】
上記課題の解決を目的としてなされた本発明に係る直交集成板の接合構造の一形態１は、
全体的に平坦な矩形状に形成された２つの直交集成板の直交接合構造であって、
前記２つの直交集成板の少なくとも長辺方向長さ、または短辺方向長さは同一であり、
前記２つの直交集成板のそれぞれには、長さが同一の方向に直交する方向に沿った一方の端部に凹部が設けられ、
前記２つの直交集成板はともに、一対の外層と、当該外層の間に形成される内層と、を有し、
前記凹部は前記内層に、同一の幅で形成され、
前記２つの直交集成板は、それぞれの前記凹部が形成されている側の端部で直交して接続されて隅角部を形成し、
前記２つの直交集成板の前記隅角部に対して外側に配置されている外層同士と、前記２つの直交集成板の前記隅角部に対して内側に配置されている外層同士と、が当接し、
前記２つの直交集成板の一方の前記凹部と前記２つの直交集成板の他方の前記凹部が連通し、断面略Ｌ字状の空隙部が形成され、
前記空隙部において、コンクリート、またはモルタルが充填され、
当該コンクリート、またはモルタルによって前記２つの直交集成板が直交して接合されていることを特徴とする。
また、上記課題の解決を目的としてなされた本発明に係る直交集成板の接合構造の一形態２は、
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板のそれぞれには、長さが同一の方向に直交する方向に沿った一方の端部に凹部が設けられ、
前記３つの直交集成板のそれぞれは、一対の外層と、当該外層の間に形成される内層と、を有し、
前記３つの直交集成板は、前記凹部が形成された側の端部でＴ字状に接続され、
前記３つの直交集成板の接続部分において、前記３つの直交集成板の周方向に隣接する前記外層同士が接続されて、前記３つの直交集成板の全ての前記外層によって前記３つの前記凹部が閉鎖されるように取り囲まれ、前記３つの前記凹部が連通して断面略Ｔ字状の空隙部が形成され、
前記空隙部に、コンクリート、またはモルタルが充填され、
当該コンクリート、またはモルタルによって前記３つの直交集成板がＴ字状に接合されていることを特徴とする。
また、上記課題の解決を目的としてなされた本発明に係る直交集成板の接合構造の一形態３は、
全体的に平坦な矩形状に形成された３つの直交集成板をＴ字状に接合する接合構造であって、
前記３つの直交集成板の少なくとも長辺方向長さ、または短辺方向長さは同一であり、
前記３つの直交集成板が端部でＴ字状に配置され、
前記３つの直交集成板の中で対向して配置された２つの直交集成板の対向する側の端面は平坦に成形され、残りの直交集成板の前記２つの直交集成板に対向する側の端部に凹部が設けられ、
前記３つの直交集成板のそれぞれは、一対の外層と、当該外層の間に形成される内層と、を有し、
前記凹部は前記内層に形成され、
前記２つの直交集成板のうちの一方は前記残りの直交集成板の前記凹部が形成された側の一方の外層に接続され、前記２つの直交集成板のうちの他方は前記残りの直交集成板の前記凹部が形成された側の他方の外層に接続され、前記２つの直交集成板の間に開口部が形成され、
前記開口部と前記凹部とが連通して断面略Ｉ字形状の空隙部が形成され、
前記空隙部に、コンクリート、またはモルタルが充填され、
当該コンクリート、またはモルタルによって前記３つの直交集成板がＴ字状に接合されていることを特徴とする。
また、上記課題の解決を目的としてなされた本発明に係る直交集成板の接合構造の一形態４は、
本発明に係る直交集成板の接合構造の一形態１乃至一形態３の何れか１つに記載の直交集成板の接合構造において、
前記空隙部に、当該空隙部の深さ方向に沿って、金属製または強化繊維プラスチック製の主筋が配置されていることを特徴とする。